(57)【要約】【課題】簡単な構成と簡単な操作によって如何なる大きさや厚みを有する当シート状物でも、容易に且つ確実に起立状に保持することが可能なシートスタンドを提供する。【解決手段】底部２、当該底部２上に載置されている少なくとも２個の相互に接離自在に相互に当接している移動可能な支持部材３１、３２からなるシート状片支持部３、及び当該底部２の少なくとも一部に少なくとも１つの固定基部８を有し、当該シート状片支持部３の上方空間部の少なくとも一部を囲繞するように配置されている、所定の幅Ｗを持ち、シート状物２０が挿通しうるに十分な所定の間隙１０を介して相互に対向している一対の帯状面９１、９２で構成され、且つ当該間隙部１０により形成される面１１が当該シート状片支持部３の中心軸線１２と所定の角度で交差するように構成されたシート状片挿通部４とを含んでいるシートスタンド１。【選択図】図１
2006181961.tif 000002
【特許請求の範囲】
【請求項１】
底部、当該底部上に載置されている少なくとも２個の相互に接離自在に相互に当接している移動可能な支持部材からなるシート状片支持部、及び当該底部の少なくとも一部に少なくとも１つの固定基部を有し、当該シート状片支持部の上方空間部の少なくとも一部を囲繞するように配置されている、所定の幅を持ち、シートが挿通しうる十分な所定の間隙を介して相互に対向している一対の帯状面で構成され、且つ当該間隙部が形成する平面が当該シート状片支持部の中心軸線と所定の角度で交差するように構成されたシート状片挿通部とを含んでいる事を特徴とするシートスタンド。
【請求項２】
当該シート状片挿通部は、少なくとも２枚の帯状面を持った帯状面保持部材で構成されている事を特徴とする請求項１に記載のシートスタンド。
【請求項３】
当該シート状片挿通部の当該間隙部は、当該底部上方の空間部に於いて立体的な湾曲状部を呈している事を特徴とする請求項１又は２に記載のシートスタンド。
【請求項４】
当該シート状片挿通部を構成する帯状面保持部材は、帯状面と直交する方向に所定の長さを有する補強部を有している事を特徴とする請求項１乃至３の何れかに記載のシートスタンド。
【請求項５】
当該帯状面保持部材の当該補強部は板状体である事を特徴とする請求項４に記載のシートスタンド。
【請求項６】
当該帯状面保持部材の当該補強部は、当該帯状面の幅よりも長い所定の長さを有する事を特徴とする請求項４に記載のシートスタンド。
【請求項７】
当該帯状面保持部材の当該シート状片挿通部に面した帯状面を除く他方の端部は、当該底部上に所定の空間部を形成するように当該底部の周辺部と接合して固定基部を形成している事を特徴とする請求項１乃至６の何れかに記載のシートスタンド。
【請求項８】
当該帯状面保持部材は、当該底部の上面に当該シート状片挿通部を除いて当該底部の上面に密閉状の空間部を形成している事を特徴とする請求項１乃至７の何れかに記載のシートスタンド。
【請求項９】
当該帯状面保持部材は、立方体形状、湾曲面形状、半球形状、多角形錐体形状、半円筒体形状、円錐体形状、ポリゴン状半球形状等から選択されて少なくとも一つの形状を有している事を特徴とする請求項７又は８に記載のシートスタンド。
【請求項１０】
当該シート状片挿通部に於ける当該間隙部が形成する面は、当該底部の表面に対して所定の角度を有する様に設定されている事を特徴とする請求項１乃至９の何れかに記載のシートスタンド。
【請求項１１】
当該シート状片支持部を構成する個々の支持部材のそれぞれは、少なくとも相互に当接している部分が、相互に対向する方向に向けた凸状の湾曲部を形成している事を特徴とする請求項１乃至１０の何れかに記載のシートスタンド。
【請求項１２】
当該複数個の支持部材の少なくとも一方の支持部材の当該相互に対向する部分には、点状或いは線状の突起部が形成されている事を特徴とする請求項１１に記載のシートスタンド。
【請求項１３】
当該支持部材のそれぞれは、球状体、楕円状体、湾曲状面、多面球体、半球状体、少なくとも当該支持部材が相互に対向する部分が半球状面、楕円状体、湾曲状面、多面半球状面等で構成されている立体状物の中から選択された少なくとも一つの形状を有する立体状物で構成されている事を特徴とする請求項１乃至１２の何れかに記載のシートスタンド。
【請求項１４】
当該支持部材のそれぞれは、少なくとも当該支持部材が相互に対向する部分が湾曲状面、多面半球状面等で構成されている板状物体の中から選択された少なくとも一つの形状を有する立体状物で構成されている事を特徴とする請求項１乃至１３の何れかに記載のシートスタンド。
【請求項１５】
当該シート状片支持部を構成する少なくとも２個の支持部材は、相互に常時当接せしめられている事を特徴とする請求項１乃至１４の何れかに記載のシートスタンド。
【請求項１６】
当該支持部材のそれぞれは、当該それぞれの支持部材の中心部を結んで形成された中心軸線に沿って移動可能に構成されている事を特徴とする請求項１乃至１５の何れかに記載のシートスタンド。
【請求項１７】
当該支持部材のそれぞれは、当該中心線に沿って形成された軌道部に沿って移動可能に保持されている事を特徴とする請求項１６に記載のシートスタンド。
【請求項１８】
当該軌道部には、当該支持部材のそれぞれが、当該軌道部から離脱出来ない様な構成を有している事を特徴とする請求項１７に記載のシートスタンド。
【請求項１９】
当該支持部材のそれぞれは、自重、磁力、電気力、バネ力及び流体力の何れかにより相互に常時当接せしめられている事を特徴とする請求項１５に記載のシートスタンド。
【請求項２０】
当該帯状面保持部材は、透明或いは半透明若しくは不透明の合成樹脂、ガラス、セラミックス、多孔性或いは網状の木材、紙、金属等の材料から選択された少なくとも一つの材料で構成されている事を特徴とする請求項４乃至１９の何れかに記載のシートスタンド。
【請求項２１】
当該軌道部は、その両端部から内側部に向けて下降するテーパー部が形成されているか当該軌道部の一部に適宜の突起部が設けられている事を特徴とする請求項１７乃至２０の何れかに記載のシートスタンド。
【請求項２２】
当該底部の表面には、当該軌道部を分割し、且つ当該軌道部と所定の角度で交差しているシート状物の下端部保持溝部が形成されている事を特徴とする請求項１乃至２１の何れかに記載のシートスタンド。
【請求項２３】
当該帯状面保持部材の少なくとも一部に、所望の文具の先端部を挿入しうる開口部が設けられている事を特徴とする請求項１乃至２２の何れかに記載のシートスタンド。
【請求項２４】
当該底部上に当該帯状面保持部材の当該開口部と対向する部位に当該文具の先端部を保持しうる受け部が設けられている事を特徴とする請求項２３に記載のシートスタンド。
【発明の詳細な説明】
【技術分野】
【０００１】
本発明は、紙、フィルム、印刷物、写真、絵画、布帛類、皮革類等のシート状物を一時的或いは長期間に亘って起立状態に保持することが出来るシートスタンドに関するものであり、特に詳しくは、構成が簡単で、安価でしかも、当該シート状物を容易に且つ簡便な操作によって、確実に起立状に保持することが可能なシートスタンドに関するものである。
【背景技術】
【０００２】
従来の上記したシート状物を起立状態に保持するためのシートスタンドは、種々の構造のものが提案されて来ている。
即ち、従来に於いては、例えば、折れ曲がり易く、単独では起立させて保持することが難しい各種のシート状物、例えば、各種の薄紙片、メモ用紙、絵画、ポスター、写真、はがき、レシピ、メニュー、楽譜、各種マニュアル等をそれらの使用者が手を使用しないで見たり、読んだり、飾っておいたり、或いは鑑賞したりすることが多く、特に近年では、パソコン等に所定の情報を入力する場合、所定の情報を記載或いは表示した印刷物、手書きメモ等を当該パソコンの近傍に起立させて保持させておき、当該シート状物を見ながら、パソコンのユーザーが当該シート状物に記載された情報をパソコン等に所定の情報を入力することが多くなっている。
【０００３】
然しながら、従来における、折れ曲がり易く、単独では起立させることが困難な当該薄い紙片等のシート状物の起立させるための保持器具としては、例えば、薄い紙片の裏面全体を支持可能な寸法の支持板と当該薄紙片の上部を把持するクリップ等の留め具で構成されるものを基本構成とした器具が殆どであり、かかる器具は、寸法が大きくなり、設置空間も大きく取る必要があることから価格が高く、利用範囲が限定され、然も当該薄紙片のセット操作も煩雑で使用効率が悪いという問題も有った。
【０００４】
係る問題を解決して小型化したシート起立保持装置が幾つか提案されている。
例えば、特許第３１８９１１９号公報（特許文献１）には、当該シート状物を凹状に湾曲させた部分を有する平面状の受け部と当該凹状湾曲部に嵌合する球状体により当該シートを把持固定する様にしたシート状物起立具が開示されている。
【０００５】
然しながら、この構造体では、当該シート状物の下端部を支持する面積が小さく、且つシートに対する加圧力も弱いため、薄いシート或いは厚いシートを起立状に保持させることが困難であり、又、あまり大きなシート状物を保持することも困難であるので、用途が面積の小さいシート状物のみに限定されているという問題があった。
【０００６】
又、特開平９−３１１６２９号公報（特許文献２）に於いては、２つの球体を使うが如きシート起立具の構成図面が示されているが、係る公報では、円筒上の磁石４と永久磁石５ｂを内蔵した球体５とを湾曲状の支持板３を介して配置したものであって、当該球体５と当該支持板３との間でシート状物を把持する構成となっているが、上記特許文献１と同じ問題を有している。
【０００７】
更に、特開平３−９７６００号公報（特許文献３）には、２つの磁石で相互に接合するプロックからなり、両ブロック同士の相互に当接する面には、互いに嵌め合わされる様に形成された湾曲状面或いは波型面が形成されており、当該当接面にシート状物を挟む様に構成されている、シート起立具が示されている。
然しながら、かかる構成のシート起立具では、安定性に乏しく、シートを挟む際にいちいち一方のブロックを手で他方のブロックから引き離し、シートをその間に挿入してから当該離反させたブロックを他のブロックに当接させて当該シートを把持固定するものであるが、当該ブロックをシートを挟む操作毎に引き離す操作が要求されるので不便であると同時に、大きなシートや薄いシート或いは厚いシート等は使用することが出来ないと言う問題があった。
【０００８】
【特許文献１】特許第３１８９１１９号公報
【特許文献２】特開平９−３１１６２９号公報
【特許文献３】特開平３−９７６００号公報
【発明の開示】
【発明が解決しようとする課題】
【０００９】
従って、本発明の目的は、上記従来技術の欠点を改良し、簡単な構成で且つ簡単な操作によって如何なる大きさや如何なる厚みを有する当該シート状物でも、容易に且つ確実に起立状に保持することが可能な、然もコストが安いシートスタンドを提供するものである。
【００１０】
更に、本発明の他の目的は、当該シートスタンドに限らず、文鎮或いは、筆立て、更には、各種装飾体、発光体、計時装置、通信、音響機器、画像表示装置等を含む机上の多目的スタンドを提供するものである。
【課題を解決するための手段】
【００１１】
本発明に係る当該シートスタンド、上記目的を達成するために、以下に示す様な基本的技術構成を採用するものである。
【００１２】
即ち、本発明に係る当該シートスタンドは、底部、当該底部上に載置されている少なくとも２個の相互に接離自在に相互に当接している移動可能な支持部材からなるシート状片支持部、及び当該底部の少なくとも一部に少なくとも１つの固定基部を有し、当該シート状片支持部の上方空間部を囲繞するように配置されている、所定の幅を持ち、シートが挿通しうる十分な所定の間隙を介して相互に対向している一対の帯状面で構成され、且つ当該間隙部により形成される平面が当該シート状片支持部の中心軸線と所定の角度で交差するように構成されたシート状片挿通部とを含む様に構成されたシートスタンドである。
【発明の効果】
【００１３】
本発明に於ける当該シートスタンドは、上記した様な技術構成を採用しているので、簡単な構成で且つ簡単な操作によって如何なる大きさや如何なる厚みを有する当該シート状物でも、容易に且つ確実に起立状に保持することが可能な、然もコストが安いシートスタンドを提供する事が可能である。
【００１４】
更に、本発明に於いては、当該シートスタンドに限らず、文鎮或いは、筆立て、更には、各種装飾体、発光体、計時装置、通信、音響機器、画像表示装置等を含む机上の多目的スタンドを提供するものである。
【発明を実施するための最良の形態】
【００１５】
以下に、本発明にかかるシートスタンド及び多目的スタンドの具体例の構成を図面を参照しながら詳細に説明する。
即ち、図１は、本発明に係るシートスタンドの一具体例の構成を示す図であって、図中、底部２、当該底部２上に載置されている少なくとも２個の相互に接離自在に相互に当接している移動可能な支持部材３１、３２からなるシート状片支持部３、及び当該底部２の少なくとも一部に少なくとも１つの固定基部８を有し、当該シート状片支持部３の上方空間部の少なくとも一部を囲繞するように配置されている、所定の幅Ｗを持ち、シート状物２０が挿通しうるに十分な所定の間隙１０を介して相互に対向している一対の帯状面９１、９２で構成され、且つ当該間隙部１０により形成される面１１が当該シート状片支持部３の中心軸線１２と所定の角度で交差するように構成されたシート状片挿通部９とを含んでいるシートスタンド１が示されている。
【００１６】
即ち、本発明に於ける当該シートスタンド１は、基本的には、底部２の上方に、シート状物２０を挿通させる為、相互に対向して配置されている、適宜の形状からなる帯状面保持部材４、４‘が持っている帯状面９１、９２の間に形成された予め定められた幅の間隙（ゲージ）１０が設定されているシート状片挿通部９と、その下方で当該底部２の表面に少なくとも一対の支持部材３１、３２からなるシート状片支持部３を設け、当該シート状片挿通部９の当該間隙部１０に所望のシート状物２０の下方部を挿通させて、当該シート状片挿通部９によって当該シート状物２０を起立状に保持すると同時に、当該シート状物２０の下端部を当該シート状片支持部３を構成する少なくとも一対の移動可能な支持部材３１、３２の相互に当接している部分に挿入して当該シート状物２０の下端部を確実に固定状に保持する様に構成されているものである。
【００１７】
つまり、本発明に於いては、当該シート状片挿通部９と当該シート状片支持部３とが共同して当該シート状物２０を起立保持するように構成したものであって、係る構成を採用したことによって、厚みのあるシート状物、薄いシート状物、大きなシート状物、小さなシート状物、のいずれであっても確実に当該シート状物２０を起立状に容易に且つ簡便な操作によって保持させることが出来るのである。
【００１８】
本発明に於ける当該シートスタンド１に於いては、当該シート状片挿通部９は、互いに対向して配置されている少なくとも２枚の帯状面９１、９２を持つ少なくとも２個の帯状面保持部材４、４’で構成されている事が望ましい。
【００１９】
つまり、本発明における当該シートスタンド１の当該シート状片挿通部９は、例えば２個の互いに対向して配置されている一対の帯状面９１、９２との間に所望のシート状物２０が挿通できるように適宜の間隙が設けられる様に対向して配置されている必要がある。
当該間隙、つまりゲージの長さは特に特定されるものではないが、好ましくは、１ｍｍ乃至１０ｍｍである。
【００２０】
又、本発明に使用される当該帯状面９１、９２を有する帯状面保持部材４、４’はその形状や構造は特に特定されるものではないが、例えば、互いに対向している面における幅、つまり当該シート状物２０が挿通する方向の長さＷが、１ｍｍ乃至１０ｍｍで有ってもよく、更には、当該帯状面９１、９２と直交する方向の長さＤは、０．５ｍｍから当該底部２の表面までの適宜の部位まで延展されている補強部材３５とで構成されているものであってもよい。
【００２１】
即ち、図２に示す様に、本発明に於ける当該帯状面保持部材４、４‘は、金属、木材、合成樹脂、セラミックス等の任意の材料で形成された適宜の幅Ｗを持った帯状面９１、９２を有する薄板状の帯状面保持部材４、４’で構成されているものであってもよく、又、当該所定の長さＤ、例えば、５ｍｍ乃至２０ｍｍ程度の長さＤを有する細幅板状体からなる補強部材３５を形成した帯状面保持部材４を使用することも可能である。
【００２２】
即ち、本発明に於いては、当該シート状片挿通部９を構成する帯状面保持部材４、４‘はその幅Ｗよりも長い当該幅方向と直交する方向の長さ部Ｄを有する補強部材３５を有しているものであっても良い。
【００２３】
図１（Ａ）及び図１（Ｂ）に示す様に、本発明における当該シートスタンド１で使用される当該シート状片挿通部９は、上記した様な帯状面保持部材４、４‘が持つ当該帯状面９１、９２が互いに所定の間隙１０を介して対向して配置されることにより形成されるものであり、その平面的配置は、当該間隙部１０が形成する平面１１、即ち、当該シート状片挿通部９に挿通されて保持されるシート状物２０が形成する平面と略一致すると共に、当該シート状片支持部３に於ける、互いに隣接し、且つ離反自在に当接された少なくとも２個の支持部材３１、３２の中心点３３、３４とを結んだ中心軸線１２と所定の角度を形成して交差するように構成されているものである。
【００２４】
当該平面１１と当該中心軸線１２との交差角度は特に特定されるものではないが、例えば、直角に交差するもので有っても良く、或いは、直交以外の交差角度に設定されているものであっても良い。
【００２５】
次に、本発明に於ける当該シート状片挿通部９の側面形状の一具体例を図１（Ｃ）に示す。
即ち、本具体例に於ける当該シート状片挿通部９の側面つまり、図１（Ａ）を９０度回転させた方向からみた図１（Ｃ）から明らかな様に、本発明に於ける当該帯状面９１、９２からなる当該シート状片挿通部９は、当該底部２と接合されている固定基部８を有し、且つその他の部分は、当該シート状片支持部３の上方の空間部分の少なくともその一部を囲繞する様に配置されているものであり、その形状は、半円状の湾曲形状を呈しているが、その形状は特定されるものではなく、例えば、矩形、多角形、楕円形等任意の形状或いは、逆Ｕ字型、逆Ｌ字型、逆Ｖ字型、波型等任意の形状を取ることも可能である。
【００２６】
当該シート状片挿通部９を構成している一対の帯状面保持部材４及び４’の少なくとも一方の帯状面保持部材４に於ける、少なくとも一方の端部は、当該底部２の表面に固定されて第１の固定基部８１を構成しており、他方の端部は、自由端を形成しても良く、或いは当該底部２の表面と第２の固定基部８２を形成しているものであっても良い。
【００２７】
又、他の具体例に於いては、図１（Ｃ）に示す様に、当該一方の帯状面保持部材４の端部は、当該底部２の一方の端縁部と固定基部８１を形成し、他方の端部は自由端とし、他方の帯状面保持部材４’の一方の端部は、当該底部２の他方の端縁部と固定基部８２を形成し、一方の端部は自由端とする様に配置させることも可能である。
【００２８】
更に、本発明に於いては、当該帯状面９１、９２によって形成される平面１１は、図１（Ａ）に示す様に、当該底部２の平面と略直交する様に形成されるものであっても良く、好ましくは、当該帯状面９１、９２によって形成される面１１と底部２の平面とが直角以外の角度を形成する様に設定されているものであっても良い。
【００２９】
更に、本発明に於けるより具体的な態様にあっては、図２および図３に示す様に、当該シート状片挿通部９は、当該底部２上方の空間部に於いて立体的な湾曲状部を呈する様に形成されている事が望ましい。
【００３０】
係るシート状片挿通部９の構成によって、当該シート状片挿通部９に挿通されるシート状物２０は、その下端部が確実に所定の湾曲状に曲げられ、当該シート状片挿通部９内に保持されると同時に、シート状片支持部３の一対の相互に当接する支持部材３１、３２の間に確実に挿入され固定される事になる。
【００３１】
即ち、本発明に於ける当該シート状片挿通部９のスリット、つまり間隙１０の形状は、図３（Ａ）の平面図から見ると、当該間隙部１０の中央部分３６は、当該シート状片支持部３に於ける一対の支持部材３１、３２が相互に当接している当接点３７からずれる様に、当該底部２の互いに対向する２つの端部６０、６１から伸びて、当該中央部３６を頂点とする湾曲状に形成されており、図３（Ｂ）の側面図から見ると、当該頂点部３６から両側の端部、即ち、当該底部２との間で固定基部８１、８２が形成される部分に向けて緩やかなＳ字状の湾曲を呈し、その下端部に相当する当該固定基部８１、８２の形成位置は、一対の支持部材３１、３２が相互に当接している当接点３７に対して、当該間隙部１０の中央部分３６の位置とは反対側の部位に形成されている。
【００３２】
尚、本発明に於いて使用される当該底部２の平面形状は特に限定されるものではなく、図３の具体例では、当該底部２の平面形状が円形として示されているが、当該底部２は、矩形、多角形、楕円形等如何なる平面形状を有しているものであっても良い。
【００３３】
又、本発明に於いては、図２（Ａ）に示す様に、当該シート状片挿通部９に於ける、該帯状面９１、９２を持つ当該帯状面保持部材４、４’は、所定の長さＤを持つ補強部３５を有しているものであってもよく、より好ましい具体例としては、図２（Ｂ）に示す様に、当該補強部が最大限延展されて、当該底部２の上面を全面的に被覆するカバー部として機能するものであっても良い。即ち、本発明に於ける当該シートスタンド１の好ましい具体例としては、図２（Ｂ）に示す様に、該シート状片挿通部９の間隙部１０を除く他の端部が、当該底部２上に所定の空間部３９を形成するように当該底部２の周辺部と略密着して接合固定されているものである。
【００３４】
本発明に於ける、当該帯状面保持部材４は、当該底部２の上面空間部を密閉状に被覆するものであって、立方体形状、湾曲面形状、半球形状、或いは図８（Ａ）に示す様な多角形錐体形状、円筒形錐体形状、更には、図８（Ｂ）に示す様な半円筒体形状、又は円錐体形状、多面状のボリゴン状半球形状等から選択されて少なくとも一つの形状を有している事が望ましい。
【００３５】
本発明に於いては、当該帯状面保持部材４を構成する当該カバー部は、非透明、透明或いは半透明の合成樹脂、ガラス、セラミックス、多孔性或いは網状の木材、紙、金属等の材料から選択された少なくとも一つの材料で構成されている事が好ましい。
【００３６】
次に、本発明に於いて使用される当該シート状片支持部３の構成の具体例を図３を参照しながら詳細に説明する。
即ち、本発明に於ける当該シート状片支持部３は、当該底部２上に載置されている少なくとも２個の相互に接離自在に相互に当接している移動可能な少なくとも２つの支持部材３１、３２から構成されているものである。
【００３７】
然しながら、本発明に於いては、当該シート状片支持部３に於ける当該支持部材３１、３２は、必ずしも２個である必要はなく、複数枚のシート状物２０を同時に本発明に於ける当該シートスタンド１に保持させる必要がある場合には、当該シート状片挿通部９も当該シート状片挿通部である間隙部１０、つまりスリット部を複数箇所設けると同時に、当該シート状片支持部３に於ける当該支持部材の数を３個乃至３個以上の支持部材を配置する事も可能である。
【００３８】
一方、本発明に於いて使用される当該支持部材３１、３２、・・・・の形状は特に限定されるものではないが、当該シート状片支持部３を構成する個々の支持部材３１、３２のそれぞれは、図５（Ｊ）に例示されている様に、少なくとも相互に当接している部分４１、４２が、相互に対向する方向に向けた凸状の湾曲部を形成している事が望ましい。
【００３９】
又、当該支持部材３１、３２・・・のそれぞれは、少なくとも当該支持部材３１、３２・・・が相互に対向する部分が図８（Ｅ）に示す湾曲状面、楕円形状面、球状面、多面半球状面等で構成されている板状物体５０の中から選択された少なくとも一つの形状を有する立体状物で構成されているものであることも好ましい。
【００４０】
即ち、本発明に於ける当該シート状片支持部３を構成するそれぞれの支持部材３１、３２・・・の形状は、図８に示す様に、少なくとも相互に当接する部分の面が、点状突起４３或いは線状の突起部４４が形成されているものであっても良く、又当該支持部材３のそれぞれは、球状体、楕円状体、多面球体、半球状体、少なくとも当該支持部材が相互に対向する部分が半球状面、湾曲状面、多面半球状面等で構成されている立体状物の中から選択された少なくとも一つの形状を有するものであって、当該当接部分以外の当該支持部材の部分の形状は、三角形、四角形、楕円形、湾曲部、中空部、錐体等を構成するものであっても良い。
【００４１】
本発明に於ける当該支持部材３１、３２は、ガラス、金属、合成樹脂、木材、鉱石類、セラミックス等の材料から構成されていることが望ましい。
特に、当該支持部材３１、３２としては、例えば、トルマリンで構成された材質を使用すると、マイナスイオン効果を利用して、癒しの効果を発揮させることも可能である。
【００４２】
又、当該支持部材としては、内部に磁石、発光部材、適宜の金属材料を埋め込むことによって、吸着効果を向上させたり、装飾効果を発揮させることも出来る。
一方、本発明に於いては、当該シート状片支持部３を構成する少なくとも２個の支持部材３１、３２は、相互に常時当接せしめられている事が望ましく、当該支持部材３１、３２のそれぞれは、当該それぞれの支持部材の中心部３３、３４を結んで形成された中心軸線１２に沿って移動可能に構成されている事が好ましい。
【００４３】
当該支持部材のそれぞれは、当該中心線１２に沿って形成された軌道部５２に沿って移動可能に保持されている事が好ましい。
この様に構成することによって、適宜のシート状物２０が当該支持部材３１、３２間に挿入された際に、当該支持部材３１、３２の両者が相互に離反して当該シート状物をその間に受け入れ、その後、当該支持部材３１、３２元の状態である接合状態に復帰することによって、当該シート状物の下端部を固定保持することが可能となる。
【００４４】
又、本発明に於いて、当該帯状面保持部材４が完全に当該底部２の上面を密閉状にカバーしない具体例に於いては、当該支持部材３１、３２が当該シートスタンド１から脱落しない様に、当該軌道部５２の少なくとも一部に、図４に示す様に、当該支持部材３１、３２のそれぞれは当該軌道部１２から離反出来ない様に、当該支持部材３１、３２の脱落防止部材５４が設けられているものであっても良く、又、当該軌道部５２の両端部に停止部材５５を配置するものであっても良い。
【００４５】
当該支持部材３１、３２のそれぞれは、自重、磁力、電気力、バネ力、圧縮空気或いは加圧オイル等の流体の力を利用した方法等の何れかにより相互に常時当接せしめられている事が望ましい。
【００４６】
本発明に於いては、当該支持部材３１、３２のそれぞれを自重により相互に常時当接せしめる一具体例として、図３（Ｂ）及び（Ｃ）に示す様に、当該軌道部５２にテーパー部５６を設けると共に、当該テーパー部５６は、その両端部から内部部分の適宜の部位５７に向けて下降面を形成するテーパー部が形成されている事が望ましい。
【００４７】
当該テーパー部５６は図３（Ｂ）に示す様に、当該軌道部５２の内面全体に形成されたもので有っても良く、或いは図３（Ｃ）に示す様に、当該軌道部５２の内面の一部に当該軌道部５２の方向に沿って部分的に形成されているもので有っても良い。
【００４８】
或いは、当該軌道部５２の少なくとも一部に適宜の突起部６５を設け、当該突起部６５に当該支持部材３１、３２の一部を当接させる事によって自重接合機能を発揮させることが可能となる。
【００４９】
当該軌道部５２の内部部分の適宜の部位５７は、本発明に於けるシートスタンド１の当該底部２の実質的な中央部である必要はなく、従って、分割された当該軌道部の一方の長さは他方の軌道部の長さと異なるものであってもよい。
【００５０】
当該適宜の部位５７の位置は、図３（Ａ）に示す様に、平面的には、当該シート状片挿通部の間隙部１０の内側に湾曲している部分の内面側に配置されていることが望ましく、その位置は、適宜に定めることが可能である。
【００５１】
本発明に於ける当該軌道部５２は、上記した部位５７で２つに分割されていることも望ましい具体例であり、かかる分割は、後述するシート状物の下端部保持溝部５８の形成に役立つものである。
【００５２】
即ち、本発明に於いては、図３及び図４更には図６に示す様に、当該底部２の表面には、当該軌道部５２を分割し、且つ当該軌道部と所定の角度で交差しているシート状物の下端部保持溝部５８が形成されている事も望ましい。
【００５３】
当該シート状物下端部保持溝部５８は、図３（Ａ）及び図６に示す様に、当該軌道部５２の中心線を頂点とするＶ字状の平面形状を示している。
一方、本発明に於ける当該シートスタンド１に於いては、当該底部２を被覆するカバーを形成する当該帯状面保持部材４の少なくとも一部に、所望の文具、例えば、鉛筆、ボールペン、ペン、万年筆、筆、マジックペン、マーカー、鋏、コンパス、修正液塗布具等の先端部を挿入しうる適宜の大きさをもった開口部７０が設けられている事も望ましい具体例である。
【００５４】
当該開口部７０の大きさ或いは形状は、特に限定されるものではなく、挿入する文具の形状や大きさに合わせて適宜の形状並びに寸法に設定することが可能である。
又、当該シートスタンド１の底部２の表面部には、当該開口部７０に対向する部位に当該文具の先端部を保持しうる受け部８０が設けられているものである。
【００５５】
当該受け部８０は、当該文具の先端部の形状に適合した形状を有していることが望ましく、例えば、中空の逆円錐形をした部材を当該底部２の表面に固定して配置したものであってもよく、或いは、適宜の直径を有する中空円筒型部材を配置したものであっても良い。
【００５６】
更に、本発明に於いては、多種類の当該文具類の先端部を受けられるように、適宜の長さを持った、逆Ｖ字状の溝部を配置したものであっても良い。
尚、本発明に於ける当該シートスタンドは、上記した様に、単にシート状物２０を起立保持する機能を有するものだけではなく、当該底部２や当該支持部材３１、３２を比重の大なる材料で構成する事によって、文鎮として機能させることが可能となる。
【００５７】
又、本発明に於ては、上記した様に、文具保持具としても機能し得る他、当該底部２の表面部や当該支持部材３１、３２、更には、上記した当該空間部３９に、各種装飾体、発光体、計時装置、通信、音響機器、液晶或いは有機ＥＬ等からなる画像表示装置等を設けたり、追加配置することによって、机上のデコレーション装置として機能するばかりでなく時刻情報、ラジオ、テレビ、電話等を介した音声もしくは画像情報を発信することが可能な机上の多目的スタンドとして利用することが可能となる。
【図面の簡単な説明】
【００５８】
【図１】図１は、本発明に於けるシートスタンドの一具体例の構成を示す側面図及び平面図である。
【図２】図２は、本発明に於けるシートスタンドの他の具体例の構成を示す側面図及び平面図である。
【図３】図３は、本発明に於けるシートスタンドの別の具体例の構成を示す側面図及び平面図である。
【図４】図４は、本発明に於けるシートスタンドの一具体例の構成を示す側面図である。
【図５】図５は、本発明に於ける支持部材の具体例を示す図である。
【図６】図６は、本発明に於けるシートスタンドの一具体例の構成を示す裏面図である。
【図７】図７は、本発明に於けるシートスタンドの更に他の具体例の構成を示す側面図である。
【図８】図８は、本発明に於けるシートスタンドの更に別の具体例の構成を示す側面図である。
【符号の説明】
【００５９】
１      シートスタンド
２      底部
３      シート状片支持部
４、４‘帯状面保持部材
８      固定基部
９      シート状片挿通部
１０    間隙
１１    平面
１２    シート状片支持部の中心軸線
２０    シート状物
３１、３２    支持部材
３３、３４    支持部材の中心点
３５    補強部材
３６    間隙部分の中央部分
３７    一対の支持部材３１、３２が相互に当接している接点
４１、４２    支持部材の当接部分
５０    板状物体
５２    軌道部
５４    支持部材の脱落防止部材
５５    停止部
５６    テーパー部
５７    適宜の部位
５８    下端部保持溝部
６０、６１    底部２の互いに対向する２つの端部
６５    突起部
７０    開口部
８０    受け部
８１    第１の固定基部
８２    第２の固定基部
９１、９２  一対の帯状面
【図１】
2006181961.tif 000003
【図２】
2006181961.tif 000004
【図３】
2006181961.tif 000005
【図４】
2006181961.tif 000006
【図５】
2006181961.tif 000007
【図６】
2006181961.tif 000008
【図７】
2006181961.tif 000009
【図８】
2006181961.tif 000010